(57)【要約】【課題】撮像部により撮像された画素信号からＨＤＲビデオおよびＳＤＲビデオなどのダイナミックレンジが異なる複数のビデオを同時に生成する場合での様々な課題を解決する。【解決手段】このビデオシステムはカメラシステムとビデオコンバーターとを具備する。カメラシステムは被写体を撮像して画素信号を得る撮像部と、画素信号から２つのビデオ信号を互いに異なる調整を加えながら各々生成し、一方のビデオ信号に各々のビデオ信号の調整に関する情報を付加した伝送情報を伝送する第１の処理回路とを有する。ビデオコンバーターは、伝送情報から各々のビデオ信号の調整に関する情報を抽出し、これらの調整に関する情報をもとに、伝送情報に含まれる一方のビデオ信号を逆変換して復元画素信号を生成するとともにこの復元画素信号に他方のビデオ信号用の調整を加えて他方のビデオ信号に対応するビデオ信号を生成する第２の処理回路を具備する。【選択図】図１
2020074613.tif 000002
【特許請求の範囲】
【請求項１】
被写体を撮像して画素信号を得る撮像部により生成された前記画素信号から、第１の画像調整パラメータに基づき第１のビデオ信号を生成し、前記画素信号から、前記第１のビデオ信号より広いダイナミックレンジを有する第２のビデオ信号を生成し、前記第１の画像調整パラメータおよび前記第２のビデオ信号を送信する第１の処理回路を有する
カメラシステム。
【請求項２】
請求項１に記載のカメラシステムであって、
前記第１の処理回路は、ダイナミックレンジの調整に関する第２の画像調整パラメータに基づき前記第１のビデオ信号より広いダイナミックレンジを有する第２のビデオ信号を生成する
カメラシステム。
【請求項３】
請求項２に記載のカメラシステムであって、
前記第１の処理回路は、前記第１の画像調整パラメータ、前記第２の画像調整パラメータおよび前記第２のビデオ信号を、前記第１のビデオ信号に対応する出力ビデオ信号を生成するビデオコンバーターに送信する
カメラシステム。
【請求項４】
請求項３に記載のカメラシステムであって、
前記第２のビデオ信号は、第１の解像度を有し、
前記出力ビデオ信号は、前記第１の解像度よりも低い第２の解像度を有する
カメラシステム。
【請求項５】
請求項３または４に記載のカメラシステムであって、
前記第１のビデオ信号はＳＤＲ（Standard Dynamic Range)ビデオであり、前記第２のビデオ信号がＨＤＲ（High Dynamic Range）ビデオである
カメラシステム。
【請求項６】
請求項１〜５のいずれか１つに記載のカメラシステムであって、
前記第１のビデオ信号をディスプレイに出力する
カメラシステム。
【請求項７】
請求項１〜６のいずれか１つに記載のカメラシステムであって、
前記第１の画像調整パラメータが前記第１のビデオ信号の色域情報を含む
カメラシステム。
【請求項８】
請求項１〜６のいずれか１つに記載のカメラシステムであって、
前記第１の画像調整パラメータがブラックレベル補正のための情報を含む
カメラシステム。
【請求項９】
請求項１〜６のいずれか１つに記載のカメラシステムであって、
前記第１の画像調整パラメータがニー補正に関する情報を含む
カメラシステム。
【請求項１０】
請求項１〜６のいずれか１つに記載のカメラシステムであって、
前記第１の画像調整パラメータがダイナミックレンジの圧縮に関する情報を含む
カメラシステム。
【請求項１１】
請求項２〜１０のいずれか１つに記載のカメラシステムであって、
前記第２の画像調整パラメータが前記第１のビデオ信号に対するゲインと前記第２のビデオ信号に対するゲインとの比率を示すリレイティブレンジを含む
カメラシステム。
【請求項１２】
請求項２に記載のカメラシステムであって、
前記第２の画像調整パラメータがＯＥＴＦ（Optical-Electro Transfer Function）情報を含む
カメラシステム。
【請求項１３】
請求項２に記載のカメラシステムであって、
前記第２の画像調整パラメータが前記第２のビデオ信号の色域情報を含む
カメラシステム。
【請求項１４】
請求項２に記載のカメラシステムであって、
前記第２の画像調整パラメータがブラックレベル補正のための情報を含む
カメラシステム。
【請求項１５】
被写体を撮像して画素信号を得る撮像部により生成された前記画素信号から、第１の画像調整パラメータに基づき第１のビデオ信号を生成し、前記画素信号から、前記第１のビデオ信号より広いダイナミックレンジを有する第２のビデオ信号を生成し、前記第１の画像調整パラメータおよび前記第２のビデオ信号を送信する
ビデオ処理方法。
【請求項１６】
被写体を撮像して画素信号を得る撮像部により生成された前記画素信号から、第１の画像調整パラメータに基づき第１のビデオ信号を生成し、前記画素信号から、前記第１のビデオ信号より広いダイナミックレンジを有する第２のビデオ信号を生成し、前記第１の画像調整パラメータおよび前記第２のビデオ信号を送信する第１の処理回路として
コンピュータを動作させるプログラム。
【請求項１７】
カメラシステムとビデオコンバーターとを具備し、
前記カメラシステムは、
被写体を撮像して画素信号を得る撮像部により生成された前記画素信号から、第１の画像調整パラメータに基づき第１のビデオ信号を生成し、前記画素信号から、前記第１のビデオ信号より広いダイナミックレンジを有する第２のビデオ信号を生成し、前記第１の画像調整パラメータおよび前記第２のビデオ信号を送信する第１の処理回路を有し、
前記ビデオコンバーターは、
受信した前記第１の画像調整パラメータおよび前記第２のビデオ信号を受信し、
前記受信した第２のビデオ信号から復元画素信号を生成するとともに、前記受信した第１の画像調整パラメータ及び前記復元画素信号に基づいて、前記第１のビデオ信号に対応する出力ビデオ信号を生成する第２の処理回路を有する
ビデオシステム。
【請求項１８】
被写体を撮像して画素信号を得る撮像部により生成された前記画素信号から、第１の画像調整パラメータに基づき第１のビデオ信号を生成し、前記画素信号から、前記第１のビデオ信号より広いダイナミックレンジを有する第２のビデオ信号を生成し、前記第１の画像調整パラメータおよび前記第２のビデオ信号を送信するカメラシステムより伝送された前記第２のビデオ信号から復元画素信号を生成するとともに、前記第１の画像調整パラメータ及び前記復元画素信号に基づいて、前記第１のビデオ信号に対応する出力ビデオ信号を生成する第２の処理回路
を具備するビデオコンバーター。
【発明の詳細な説明】
【技術分野】
【０００１】
本技術は、互いに異なる条件でレベル、色などが調整された複数の種類のビデオ信号を処理するカメラシステム、ビデオ処理方法、プログラム、ビデオシステムおよびビデオコンバーターに関する。
【背景技術】
【０００２】
ＨＤＲ（High Dynamic Range）イメージングでは、ダイナミックレンジの広い映像の表現が可能であり、通常のモニターで表示可能な標準的なダイナミックレンジを持つＳＤＲ（Standard Dynamic Range)の映像信号で表現しきれなかった、高輝度の表現や、輝度の高い色の表現が可能である。
【０００３】
特許文献１には、ＨＤＲビデオとＬＤＲビデオとを合わせてエンコードする方法が開示される。
【先行技術文献】
【特許文献】
【０００４】
【特許文献１】特表２０１５−５０６６２３号公報
【発明の概要】
【発明が解決しようとする課題】
【０００５】
本技術は、互いに異なる条件で各々調整された複数のビデオ信号を処理する場合における様々な課題を解決することを目的とするものである。
【課題を解決するための手段】
【０００６】
上記の課題を解決するために、本技術に係る一形態のビデオシステムは、
カメラシステムとビデオコンバーターとを具備し、
前記カメラシステムは、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路とを具備し、
前記ビデオコンバーターは、
前記第１の伝送路を介して前記伝送情報を受信し、
前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路を具備する。
【０００７】
本技術に係る一形態のビデオシステムにおいて、前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭いこととする。
【０００８】
本技術に係る一形態のビデオシステムにおいて、前記第１の画像調整パラメータおよび前記第２の画像調整パラメータは、前記第１のビデオ信号および前記第２のビデオ信号の色に関する画像調整パラメータを含むものであってよい。
【０００９】
また、本技術に係る一形態のビデオシステムにおいて、前記第１のビデオ信号はＳＤＲ（Standard Dynamic Range)ビデオであり、前記第２のビデオ信号がＨＤＲ（High Dynamic Range）ビデオとするようにしてよい。
【００１０】
本技術に係る一形態のビデオシステムにおいて、前記カメラシステムから前記ビデオコンバーターには前記第１のビデオ信号および前記第２のビデオ信号のうち前記第２のビデオ信号のみが第２の伝送路を通じて伝送されるように前記第１の処理回路および前記第２の処理回路が構成され、
前記第２の処理回路は、前記第２の伝送路と異なる第３の伝送路を介して前記第１のビデオ信号に対応する出力ビデオ信号をディスプレイに伝送するように構成されたものであってよい。
【００１１】
本技術に係る他の形態のビデオ処理方法は、
カメラシステムにて、
第１の処理回路が、被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送し、
ビデオコンバーターにて、
前記第１の伝送路を介して前記伝送情報を受信し、
第２の処理回路が、前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する。
【００１２】
本技術に係る他の形態のプログラムは、
カメラシステムにて、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路と、
ビデオコンバーターにて、
前記第１の伝送路を介して前記伝送情報を受信し、
前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路として
コンピュータを動作させるプログラム。
【００１３】
本技術に係る他の形態のカメラシステムは、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路とを具備する。
【００１４】
本技術に係る他の形態のビデオコンバーターは、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送するカメラシステムより伝送された前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路を具備する。
【発明の効果】
【００１５】
以上のように、本技術によれば、互いに異なる条件で各々調整された複数のビデオ信号を処理する場合における様々な課題を解決することができる。
【図面の簡単な説明】
【００１６】
【図１】本技術に係る第１の実施形態のビデオシステム１の全体構成を示すブロック図である。
【図２】第１の実施形態のビデオシステム１におけるカメラ制御ユニット１２のＨＤＲプロセス部１２２およびＳＤＲプロセス部１２３の機能的な構成を示すブロック図である。
【図３】第１の実施形態のビデオシステム１におけるビデオコンバーター２０の逆ＨＤＲプロセス部２０１およびＳＤＲプロセス部２０２の機能的な構成を示すブロック図である。
【図４】本技術に係る第２の実施形態のビデオシステム１Ａの全体構成を示すブロック図である。
【図５】第２の実施形態のビデオシステム１Ａにおけるカメラ制御ユニット１２の逆ＨＤＲプロセス部１２５およびＳＤＲプロセス部１２３の機能的な構成を示すブロック図である。
【発明を実施するための形態】
【００１７】
以下、本技術に係る実施の形態を説明する。
＜第１の実施形態＞
［ビデオシステムの構成］
図１は、本技術に係る第１の実施形態のビデオシステム１の全体的な構成を示すブロック図である。
同図に示すように、このビデオシステム１は、カメラシステム１０とビデオコンバーター２０とを備える。カメラシステム１０とビデオコンバーター２０は本線伝送路３０を通じて接続される。
【００１８】
［カメラシステム１０の構成］
カメラシステム１０は、撮像装置１１とカメラ制御ユニット１２とを有する。撮像装置１１とカメラ制御ユニット１２とは光ファイバーなどのカメラケーブル１３を通じて接続される。
【００１９】
撮像装置１１は、撮像のためのレンズ群を有する光学系１１０と、撮像素子１１１と、プリプロセッサ１１２と、伝送部１１３と、ＣＰＵ１１４を有する。
【００２０】
撮像素子１１１は、ＣＭＯＳ（Complementary Metal-Oxide-Semiconductor）素子、ＣＣＤ（Charge-Coupled Device）などのイメージセンサであり、図示しない光学系を通じて取り込んだ光を光強度に対応した電気的な画素信号に変換する。
【００２１】
なお、本技術のビデオシステム１の構成において、「撮像部」は上記の撮像装置１１に相当する。
【００２２】
プリプロセッサ１１２は、撮像素子１１１にて得られた画素信号に対する欠陥補正、およびレンズ収差補正などの信号補正処理などを行う。
【００２３】
伝送部１１３は、プリプロセッサ１１２から出力された画素信号をカメラケーブル１３を通じてカメラ制御ユニット１２に伝送する処理を行う。すなわち、伝送部１１３によってカメラ制御ユニット１２に伝送される画素信号は、ゲインやダイナミックレンジに関する処理、デベイヤー処理、ガンマ信号処理などが施されていないＲＡＷ画像信号である。
【００２４】
ＣＰＵ１１４は、撮像装置１１の各部を制御するとともに、カメラ制御ユニット１２のＣＰＵ１２４とカメラケーブル１３を通じて通信するコントローラーである。
【００２５】
一方、カメラ制御ユニット１２は、伝送部１２１、ＨＤＲプロセス部１２２、ＳＤＲプロセス部１２３およびＣＰＵ１２４を備える。
【００２６】
伝送部１２１は、有線又は無線通信を行う通信回路などにより構成され、撮像装置１１より伝送された画素信号をカメラケーブル１３（第１の伝送路）を通じて受信し、ＨＤＲプロセス部１２２およびＳＤＲプロセス部１２３に供給する。
【００２７】
ＨＤＲプロセス部１２２は、伝送部１２１より供給された画素信号に対して、ＨＤＲ調整用のパラメータ情報をもとに各種の調整を加えながらＨＤＲビデオを生成する処理を行う。ＨＤＲプロセス部１２２により生成されたＨＤＲビデオは、ＨＤＲ調整用のパラメータ情報およびＳＤＲ調整用のパラメータ情報が付加されて本線伝送路３０を通じてビデオコンバーター２０に伝送される。なお、調整用のパラメータ情報を付加する方法として、ＣＰＵ１２４はＨＤＲビデオのストリームに調整用のパラメータ情報を多重化する処理を行ってもよく、またＨＤＲビデオのストリームと関連付けられたメタデータファイルとしてＨＤＲビデオとは別に本線伝送路３０に出力してもよい。なお、本線伝送路３０を単一の伝送路として構成してもよいし、ＨＤＲのビデオストリームを汎用伝送路よりも伝送帯域が大きい専用伝送路で送信し、調整用のパラメータ情報を専用伝送路よりも伝送帯域が小さい汎用伝送路で送る等、複数の伝送路として構成してもよい。
【００２８】
ＳＤＲプロセス部１２３は、伝送部１２１より供給された画素信号に対して、ＳＤＲ調整のパラメータ情報をもとに各種の調整を加えながらＳＤＲビデオを生成する処理を行う。ＳＤＲプロセス部１２３により生成されたＳＤＲビデオは、例えばビデオ制作者の操作装置４０のディスプレイ４１に出力伝送路３５を通じて伝送される。ＨＤＲプロセス部１２１とＳＤＲプロセス部１２３の各々の出力用の伝送路は異なる伝送路とすることができる。例えばＳＤＲビデオは本線伝送路３０（第２の伝送路）とは独立した出力伝送路３５（第３の伝送路）を介してビデオ制作者の操作装置４０のディスプレイ４１に表示される。
【００２９】
ＨＤＲプロセス部１２２、ＳＤＲプロセス部１２３およびＣＰＵ１２４は１つあるいは複数の集積回路などによって構成され、本技術の構成における第１の処理回路に相当する。
【００３０】
ＣＰＵ１２４は、カメラ制御ユニット１２における各部の制御を行うコントローラーである。ＣＰＵ１２４は、ＨＤＲプロセス部１２２およびＳＤＲプロセス部１２３と通信して、各々のプロセスにおいて画像信号に対して加えられる調整内容の選択などの制御することが可能である。
【００３１】
また、ＣＰＵ１２４は、ＨＤＲプロセス部１２２によるＨＤＲプロセスおよびＳＤＲプロセス部１２３によるＳＤＲプロセスで画素信号に対して調整を加えるために用いられたパラメータ情報をＨＤＲプロセス部１２２により生成されたＨＤＲビデオに付加し、本線伝送路３０を通じてビデオコンバーター２０に伝送するように制御を行う。
【００３２】
ＣＰＵ１２４は、ＬＡＮ（Local Area Network）などの通信路５０を介して接続された操作装置４０との間で通信を行うことが可能である。操作装置４０は、ディスプレイ４１、操作入力部４２および制御部４３を備える。操作装置４０は、例えばパーソナルコンピュータなどの情報処理装置などで構成されてもよいし、カメラ制御用に作られた専用コントロールパネルなどで構成されてもよい。操作入力部４２は例えば操作キー、マウス、トラックボール、ダイヤル、レバー、タッチセンサーパネル、リモートコントローラーなどで構成されてよい。操作装置４０の制御部４３は、ＣＰＵなどの回路により構成され、ＶＥ（Video Engineer）などの制作者から各種の制御命令や設定情報を受け付け、通信路５０を介してカメラ制御ユニット１２のＣＰＵ１２４との間で通信をする。
【００３３】
［ＨＤＲプロセス部１２２およびＳＤＲプロセス部１２３の構成］
図２は、カメラ制御ユニット１２のＨＤＲプロセス部１２２およびＳＤＲプロセス部１２３の機能的な構成を示すブロック図である。
【００３４】
ＨＤＲプロセス部１２２は、ＨＤＲゲイン調整部２２１、マトリクス処理部２２３、ブラックレベル補正部２２５、ディテール処理部２２７、ＯＥＴＦ部２２８、フォーマッター２２９を有する。
【００３５】
ＨＤＲゲイン調整部２２１は、マスターゲインの制御の他、ホワイトバランス調整のためのＲＧＢゲインの制御を行う。
【００３６】
マトリクス処理部２２３は、ＨＤＲ調整用のパラメータ情報の一部であってＨＤＲビデオの色に関する情報である色域情報（HDR-Color Gamut）をもとに、ＨＤＲゲイン調整部２２１を通過した画素信号に対するデベイヤー処理、リニアマトリクス処理などを行ってカラー画像データを得る。
【００３７】
ブラックレベル補正部２２５は、ＨＤＲ調整用のパラメータ情報の一部であるブラックレベル補正のための情報（HDR-Black）をもとにカラー画像データのブラックレベルの補正を行う。
【００３８】
ディテール処理部２２７は、カラー画像データのディテールの処理を行う。
ＯＥＴＦ部２２８は、ＨＤＲ調整用のパラメータ情報の一部であるＨＤＲ伝送用ガンマに関する情報であるＯＥＴＦ情報をもとに、カラー画像データに対してＯＥＴＦ（Optical-Electro Transfer Function：光電気伝達関数）のガンマ信号処理を行う。
フォーマッター２２９は、ＯＥＴＦ部２２８を通過したカラー画像データをＨＤＲビデオの伝送フォーマットに変換する。
【００３９】
一方、ＳＤＲプロセス部１２３は、解像度変換部２３０、ＳＤＲゲイン調整部２３１、マトリクス処理部２３３、ブラックレベル補正部２３５、ニー・ディテール処理部２３７、ガンマ処理部２３８、フォーマッター２３９を有する。
【００４０】
解像度変換部２３０は、撮像装置１１より伝送された画素信号の解像度（例えば４Ｋ解像度）をＨＤの解像度に変換する。
【００４１】
ＳＤＲゲイン調整部２３１は、ＳＤＲ調整用のパラメータ情報の一部であってＳＤＲビデオおよびＨＤＲビデオのレベルに関するパラメータ情報であるリレイティブゲイン（Relative-Gain）をもとにマスターゲインの制御を行うとともに、ホワイトバランス調整のためのＲＧＢゲインの制御を行う。
リレイティブゲインとはＨＤＲビデオとＳＤＲビデオとのコントラスト比を調整することを可能とするために、ＨＤＲプロセスでの画素信号に対するゲインとＳＤＲプロセスでの画素信号に対するゲインとの比率を示すパラメータである。例えば、リレイティブレンジは、ＳＤＲビデオのダイナミックレンジに対してＨＤＲビデオのダイナミックレンジを何倍に設定するかを定義する。このリレイティブレンジによって、ＨＤＲプロセス側のマスターゲインに対してＳＤＲプロセス側のマスターゲインの比を例えば１、１／２などのように任意の比に設定することができる。このようにＨＤＲプロセス側のマスターゲインとＳＤＲプロセス側のマスターゲインとの比が設定されていれば、ＳＤＲビデオのダイナミックレンジと相関を有するＨＤＲビデオのダイナミックレンジが得られる。
【００４２】
より具体的には、ＳＤＲビデオのダイナミックレンジの上限基準は制作者により選定された基準白（Diffuse-White）により与えられる。本実施形態のビデオシステム１では、このＳＤＲビデオの基準白（Diffuse-White）が選定されることによって、リレイティブレンジに基づく相関をもとに、ＨＤＲビデオのダイナミックレンジの上限基準（ＨＤＲビデオの基準白（Diffuse-White））も決定される。
【００４３】
リレイティブレンジは、例えば日中、夜間、室内、屋外、スタジオ内、晴天時、雨天時などの撮影環境に応じて適宜選択されるべきである。そのため、様々な撮影環境に対応付けた複数の種類のリレイティブレンジが用意される。撮影環境に対応付けられる複数の種類のリレイティブレンジを用意する方法としては、カメラ制御ユニット１２から同時に出力されるＳＤＲビデオとＨＤＲビデオの見た目の明るさを人間の目で比較する方法が考えられる。リレイティブレンジの値を変えてその都度、ＳＤＲビデオとＨＤＲビデオとを比較し、ＳＤＲビデオとＨＤＲビデオの見た目の明るさが近いリレイティブレンジを撮影環境に最適なレイティブレンジとして決めればよい。
【００４４】
なお、リレイティブゲインはＳＤＲビデオ用のホワイトバランス処理またはコントラスト処理を行うための情報であればよく、例えばセンサ出力値であるＲＡＷデータに対するゲインの値等、ＨＤＲ信号のゲインに対する比率の数値以外の情報でも良い。
【００４５】
なお、ＨＤＲビデオの持つ輝度ダイナミックレンジはＳＤＲビデオの持つ輝度ダイナミックレンジよりも広い。例として、ＳＤＲビデオの持つ輝度ダイナミックレンジを０〜１００％とすると、ＨＤＲビデオの持つ輝度ダイナミックレンジは例えば１００％〜１３００％あるいは１００％〜１００００％などである。撮像装置１０の出力の輝度レンジは０〜６００％などである。
【００４６】
マトリクス処理部２３３は、ＳＤＲ調整用のパラメータ情報の一部であってＳＤＲビデオの色に関する情報である色域情報（SDR-Color Gamut）をもとに、ＳＤＲゲイン調整部２３１を通過した画素信号に対するデベイヤー処理、リニアマトリクス処理などを行ってカラー画像データを得る。
【００４７】
ブラックレベル補正部２３５は、ＳＤＲ調整用のパラメータ情報の一部であるブラックレベル補正のための情報（SDR-Black）をもとにカラー画像データのブラックレベルの補正を行う。
【００４８】
ニー・ディテール処理部２３７は、ＳＤＲ調整用のパラメータ情報の一部であるニー補正に関する情報（KNEE）をもとにカラー画像データに対するニー補正を行い、また、ディテールの処理を行う。
【００４９】
ガンマ処理部２３８は、ＳＤＲ調整用のパラメータ情報の一部であるダイナミックレンジの圧縮に関する情報（SDR-D-Range-Gamma）をもとに、ＳＤＲゲイン調整部２３１に設定されたダイナミックレンジに対するガンマ信号処理を行い、同時にディスプレイ用のガンマ信号処理を行う。
【００５０】
フォーマッター２３９は、カラー画像データをＳＤＲビデオの伝送フォーマットに変換する。
【００５１】
これらのパラメータ情報は、カメラ制御ユニット１２とＬＡＮ（Local Area Network）などの通信路を介して接続された操作装置を操作するＶＥ（Video Engineer）などの制作者によって設定される。
【００５２】
［ビデオコンバーター２０の構成］
ビデオコンバーター２０は、逆ＨＤＲプロセス部２０１、ＳＤＲプロセス部２０２およびＣＰＵ２０３を有する。
【００５３】
ＣＰＵ２０３は、本線伝送路３０を通じて受信したパラメータ情報付きＨＤＲビデオからＨＤＲ調整用のパラメータ情報およびＳＤＲ調整用パラメータ情報を抽出し、ＨＤＲ調整用のパラメータ情報を逆ＨＤＲプロセス部２０１に与える。また、ＣＰＵ２０３は、ＳＤＲ調整用のパラメータ情報をＳＤＲプロセス部２０２に与える。
【００５４】
逆ＨＤＲプロセス部２０１は、本線伝送路３０を通じて受信したＨＤＲビデオに対して、ＨＤＲ調整用のパラメータ情報を用いて逆ＨＤＲプロセスを行う。すなわち、逆ＨＤＲプロセス部２０１は、ＨＤＲビデオから調整成分を取り除き、復元画素信号を生成する。
【００５５】
ＳＤＲプロセス部２０２は、逆ＨＤＲプロセス部２０１によって得られた復元画素信号から、ＳＤＲ調整用のパラメータ情報を用いて、上記のカメラ制御ユニット１２において生成されたＳＤＲビデオに対応する出力ビデオ信号を生成する。
【００５６】
逆ＨＤＲプロセス部２０１、ＳＤＲプロセス部２０２およびＣＰＵ２０３は１つあるいは複数の集積回路などによって構成され、本技術の構成における第２の処理回路に相当する。
【００５７】
［逆ＨＤＲプロセス部２０１およびＳＤＲプロセス部２０２の構成］
図３は、ビデオコンバーター２０内の逆ＨＤＲプロセス部２０１およびＳＤＲプロセス部２０２の機能的な構成を示すブロック図である。
【００５８】
逆ＨＤＲプロセス部２０１は、デフォーマッター２４１、逆ＯＥＴＦ部２４２、ブラックレベル補正除去部２４３を有する。
【００５９】
デフォーマッター２４１は、ＨＤＲビデオの伝送フォーマットを解除する。
【００６０】
逆ＯＥＴＦ部２４２は、ＨＤＲ調整用のパラメータ情報の一部であるＨＤＲ伝送用ガンマに関する情報（OETFの種類）をもとに、ＨＤＲビデオに施されていたＯＥＴＦのガンマを除去する。
【００６１】
ブラックレベル補正除去部２４３は、ＨＤＲビデオに施されていたブラックレベル補正を、ＨＤＲ調整用のパラメータ情報の一部であるブラックレベル補正のための情報（HDR-Black）をもとに解除する処理を行う。
【００６２】
ビデオコンバーター２０のＳＤＲプロセス部２０２の構成は、カメラ制御ユニット１２のＳＤＲプロセス部２０２の構成と同じである。すなわち、ビデオコンバーター２０のＳＤＲプロセス部２０２は、解像度変換部２３０、ＳＤＲゲイン調整部２３１、マトリクス処理部２３３、ブラックレベル補正部２３５、ニー・ディテール処理部２３７、ガンマ処理部２３８、フォーマッター２３９を有する。
【００６３】
ここで、カメラシステム１０で生成されたＨＤＲビデオとＳＤＲビデオのうち、ＨＤＲビデオを本線伝送路３０を通じてビデオコンバーター２０に伝送するのは、ＳＤＲビデオがビデオ制作者がビデオの見た目の状態を確認するために用いられ、本線伝送路３０にはＨＤＲビデオのみが伝送されるからである。また、ＨＤＲビデオとＳＤＲビデオを本線伝送路３０で同時に伝送するとなると、本線伝送路３０の伝送帯域を圧迫しかねない。このような事情により本線伝送路３０にはＨＤＲビデオのみが伝送されることが望ましい。そこでカメラシステム１０では例えば、ＳＤＲプロセス部１２３の出力伝送路３５はＳＤＲビデオを出力し、操作装置４０のディスプレイ４１には撮影したビデオの目視確認用のＳＤＲビデオが表示されるが、本線伝送路３０にはＳＤＲビデオを出力しない構成とすることができる。
【００６４】
また、制作されたビデオの表現を複数の制作者が別々の場所で同時に確認したいという要望がある。本線伝送路３０を通じて受信したＨＤＲビデオを、ＨＤＲビデオを表示可能なモニターで確認することは可能であるが、ビデオの明るさや色などの表現の選択は、伝統的な手法に倣って撮影時に調整したＳＤＲビデオを基準に行いたいという声が強い。また、ダウンコンバートによってＨＤＲビデオの解像度をＳＤＲビデオの解像度に変えてモニターに表示させても、ＨＤＲビデオとＳＤＲビデオとのダイナミックレンジの違いなどによって、見た目の表現がＨＤＲビデオとは違ったものとなってしまう。このような事情から本実施形態のビデオシステム１は提案されたものである。
【００６５】
また、ＨＤＲビデオとＳＤＲビデオが同時に本線映像として必要な場合でも、全システム構成で両方のビデオを同等に扱うことは、システムが完全に２システム必要になり、不経済でもあるので、本線映像は、ＨＤＲビデオでハンドリングして、最終段で、ＳＤＲに変換することで、両方のビデオを本線映像として扱うことができるメリットもある。
【００６６】
［本ビデオシステム１の動作］
次に、本ビデオシステム１において、カメラシステム１０で生成されたＨＤＲビデオとＳＤＲビデオのうち、ＨＤＲビデオを本線伝送路３０を通じてビデオコンバーター２０に伝送し、ビデオコンバーター２０で、ＨＤＲビデオからカメラシステム１０で生成されたＳＤＲビデオに対応する出力ビデオ信号を生成する場合の動作について説明する。
【００６７】
（カメラシステム１０の動作）
撮像装置１１によって得られた画素信号は伝送部１１３によってカメラケーブル１３を通じてカメラ制御ユニット１２に伝送される。カメラ制御ユニット１２では、伝送部１２１で受信した画素信号がＨＤＲプロセス部１２２およびＳＤＲプロセス部１２３に供給される。
【００６８】
ＨＤＲプロセス部１２２では、画素信号からＨＤＲビデオが生成される間に、ＣＰＵ１２４により与えられたＨＤＲ調整用のパラメータ情報に基づき各種の調整が加えられる。同様にＳＤＲプロセス部１２３でも、画素信号からＳＤＲビデオが生成される間に、ＣＰＵ１２４により与えられたＳＤＲ調整用のパラメータ情報に基づき各種の調整が加えられる。
【００６９】
ＣＰＵ１２４は、ＨＤＲプロセス部１２２でＨＤＲビデオの調整に用いたＨＤＲ調整用のパラメータ情報と、ＳＤＲプロセス部１２３でＳＤＲビデオの調整に用いたＳＤＲ調整用のパラメータ情報をＨＤＲビデオに付加して本線伝送路３０を通じてビデオコンバーター２０に伝送するように制御を行う。
【００７０】
一方、ＳＤＲプロセス部１２３で生成されたＳＤＲビデオは、例えばビデオ制作者の操作装置４０のディスプレイ４１に伝送され、表示される。
【００７１】
（ビデオコンバーター２０の動作）
次に、カメラ制御ユニット１２より本線伝送路３０を通じて伝送されたパラメータ情報付きＨＤＲビデオを処理するビデオコンバーター２０の動作を説明する。
【００７２】
ビデオコンバーター２０において、本線伝送路３０を通じてパラメータ情報付きＨＤＲビデオが受信されると、ＣＰＵ２０３は、受信したパラメータ情報付きＨＤＲビデオからＨＤＲ調整用のパラメータ情報およびＳＤＲ調整用のパラメータ情報を各々抽出する。ＣＰＵ２０３は、抽出したＨＤＲ調整用のパラメータ情報を逆ＨＤＲプロセス部２０１に与えるともに、ＳＤＲプロセス部２０２にＳＤＲ調整用のパラメータ情報を与える。
【００７３】
逆ＨＤＲプロセス部２０１では、ＣＰＵ２０３より与えられたＨＤＲ調整用のパラメータ情報を用いてＨＤＲビデオに対する逆変換が行われ、もとの画素信号を復元した復元画素信号が生成される。復元画素信号はＳＤＲプロセス部２０２に供給される。
【００７４】
ＳＤＲプロセス部２０２では、逆ＨＤＲプロセス部２０１によって得られた復元画素信号から、ＳＤＲ調整用のパラメータ情報を用いて、上記のカメラ制御ユニット１２において生成されたＳＤＲビデオに対応する出力ビデオ信号が生成される。生成されたＳＤＲビデオに対応する出力ビデオ信号は、例えば、カメラ制御ユニット１２で生成されたＳＤＲビデオが伝送される操作装置４０のディスプレイ４１とは別のディスプレイに伝送されて表示される。
【００７５】
以上のように、本実施形態のビデオシステム１によれば、カメラ制御ユニット１２は、生成したＨＤＲビデオにＨＤＲ調整用のパラメータ情報およびＳＤＲ調整用のパラメータ情報を付けて本線伝送路３０を通じてビデオコンバーター２０に伝送する。ビデオコンバーター２０は、ＨＤＲビデオに付加されたＨＤＲ調整用のパラメータ情報をもとに元の画素信号を復元し、この復元画素信号に対してＨＤＲビデオに付加されたＳＤＲ調整用のパラメータ情報をもとに、カメラ制御ユニット１２において生成されるＳＤＲビデオに対応する出力ビデオ信号を再現する。これにより、カメラ制御ユニット１２において画素信号からＨＤＲビデオと同時に生成されるＳＤＲビデオに限りなく表現が近い出力ビデオ信号を、ビデオコンバーター２０においてＨＤＲビデオからの変換によって得ることができる。
【００７６】
＜第２の実施形態＞
次に、本技術に係る第２の実施形態を説明する。
図４は、本技術に係る第２の実施形態のビデオシステム１Ａの構成を示すブロック図である。
本ビデオシステム１Ａは、撮像装置１１内にＨＤＲプロセス部１１５を備える。
ＨＤＲプロセス部１１５は、プリプロセッサ１１２から出力された画素信号に対して、ＨＤＲ調整用のパラメータ情報をもとに各種の調整を加えながらＨＤＲビデオを生成し、伝送部１１３に供給する。伝送部１１３は、ＨＤＲプロセス部１１５により供給されたＨＤＲビデオをカメラケーブル１３を通じてカメラ制御ユニット１２に伝送する。
【００７７】
撮像装置１１のＣＰＵ１１４は、カメラ制御ユニット１２のＣＰＵ１２４との間でカメラケーブル１３を通じて通信し、ＨＤＲプロセス部１１５でのＨＤＲビデオの生成のために用いられたＨＤＲ調整用のパラメータ情報をカメラ制御ユニット１２のＣＰＵ１２４に通知する。
【００７８】
カメラ制御ユニット１２は、伝送部１２１、逆ＨＤＲプロセス部１２５、ＳＤＲプロセス部１２３およびＣＰＵ１２４を有する。
【００７９】
ＣＰＵ１２４は、撮像装置１１のＣＰＵ１１４との間でカメラケーブル１３を通じて通信し、撮像装置１１のＣＰＵ１１４からＨＤＲ調整用のパラメータ情報を受け取り、逆ＨＤＲプロセス部１２５に与える。
【００８０】
カメラ制御ユニット１２の伝送部１２１は、カメラケーブル１３を通じて撮像装置１１より伝送されたＨＤＲビデオを逆ＨＤＲプロセス部１２５に供給するとともに、本線伝送路３０に送り出す。
【００８１】
逆ＨＤＲプロセス部１２５は、ＣＰＵ１２４より与えられたＨＤＲ調整用のパラメータ情報を用いて、ＨＤＲビデオから調整成分を取り除いた復元画素信号を生成し、ＳＤＲプロセス部１２３に供給する。
【００８２】
ＳＤＲプロセス部１２３は、復元画素信号に対して、ＳＤＲ調整のパラメータ情報をもとに各種の調整を加えながらＳＤＲビデオを生成する処理を行う。ＳＤＲプロセス部１２３により生成されたＳＤＲビデオは、例えばビデオ制作者の操作装置４０のディスプレイ４１に伝送されて表示される。
【００８３】
また、ＣＰＵ１２４は、逆ＨＤＲプロセス部１２５による逆ＨＤＲプロセスでＨＤＲビデオから復元画素信号を生成するための用いられたＨＤＲ調整用のパラメータ情報と、ＳＤＲプロセス部１２３にてＳＤＲビデオに調整を加えるために用いられたＳＤＲ調整用のパラメータ情報とをＨＤＲビデオに付加し、本線伝送路３０を通じてビデオコンバーター２０に伝送するように制御を行う。
【００８４】
撮像装置１１のＨＤＲプロセス部１１５、ＣＰＵ１１４、カメラ制御ユニット１２の逆ＨＤＲプロセス部１２５、ＳＤＲプロセス部１２３、ＣＰＵ１２４は、本技術の構成における第１の処理回路に相当するものである。
【００８５】
ビデオコンバーター２０は、逆ＨＤＲプロセス部２０１と、ＳＤＲプロセス部２０２と、ＣＰＵ２０３とを備える。これらは第１の実施形態のビデオコンバーター２０の構成と同じである。
【００８６】
［逆ＨＤＲプロセス部１２５およびＳＤＲプロセス部１２３の構成］
図５は、カメラ制御ユニット１２の逆ＨＤＲプロセス部１２５およびＳＤＲプロセス部１２３の機能的な構成を示すブロック図である。
【００８７】
逆ＨＤＲプロセス部１２５は、デフォーマッター２５１、逆ＯＥＴＦ部２５２、ブラックレベル補正除去部２５３を有する。
【００８８】
デフォーマッター２５１は、ＨＤＲビデオの伝送フォーマットを解除する。
【００８９】
逆ＯＥＴＦ部２５２は、ＨＤＲ調整用のパラメータ情報の一部であるＨＤＲ伝送用ガンマに関する情報（OETFの種類）をもとに、ＨＤＲビデオに施されていたＯＥＴＦのガンマを除去する。
【００９０】
ブラックレベル補正除去部２５３は、ＨＤＲビデオに施されていたブラックレベル補正を、ＨＤＲ調整用のパラメータ情報の一部であるブラックレベル補正のための情報（HDR-Black）をもとに解除する処理を行う。
【００９１】
ＳＤＲプロセス部１２３は、解像度変換部２６０、ＳＤＲゲイン調整部２６１、マトリクス処理部２６３、ブラックレベル補正部２６５、ニー・ディテール処理部２６７、ガンマ処理部２６８、フォーマッター２６９を有する。このＳＤＲプロセス部１２３の構成は、カメラ制御ユニット１２のＳＤＲプロセス部２０２の構成と同じである。
【００９２】
［本ビデオシステム１Ａの動作］
次に、本ビデオシステム１Ａの動作を説明する。
【００９３】
（カメラシステム１０の動作）
撮像装置１１において、プリプロセッサ１１２から出力された画素信号はＨＤＲプロセス部１１５に供給され、ＨＤＲプロセス部１１５にて、ＣＰＵ１１４から与えられたＨＤＲ調整用のパラメータ情報をもとに各種の調整を加えながらＨＤＲビデオが生成される。生成されたＨＤＲビデオは、伝送部１１３によって、カメラケーブル１３を通じてカメラ制御ユニット１２に伝送される。また、撮像装置１１のＣＰＵ１１４は、カメラ制御ユニット１２のＣＰＵ１２４との間でカメラケーブル１３を通じて通信し、ＨＤＲプロセス部１１５でＨＤＲビデオの調整に用いたＨＤＲ調整用のパラメータ情報をカメラ制御ユニット１２のＣＰＵ１２４に通知する。
【００９４】
カメラ制御ユニット１２のＣＰＵ１２４は、撮像装置１１のＣＰＵ１１４より通知されたＨＤＲ調整用のパラメータ情報を逆ＨＤＲプロセス部１２５に与える。
また、カメラ制御ユニット１２の伝送部１２１で受信されたＨＤＲビデオはカメラ制御ユニット１２内をスルーして本線伝送路３０に供給され、本線伝送路３０を通じてビデオコンバーター２０に伝送される。また、伝送部１２１で受信されたＨＤＲビデオは逆ＨＤＲプロセス部１２５にも供給される。
【００９５】
逆ＨＤＲプロセス部１２５では、ＣＰＵ１２４から与えられたＨＤＲ調整用のパラメータ情報を用いて、ＨＤＲビデオから調整成分を取り除いた復元画素信号が生成される。生成された復元画素信号はＳＤＲプロセス部１２３に供給される。そして、ＳＤＲプロセス部１２３において、復元画素信号に対して、ＣＰＵ１２４から与えられたＳＤＲ調整用のパラメータ情報をもとに各種の調整を加えながらＳＤＲビデオを生成する処理が行われる。生成されたＳＤＲビデオは、例えばビデオ制作者の操作装置４０のディスプレイ４１に伝送されて表示される。
【００９６】
ＣＰＵ１２４は、撮像装置１１のＣＰＵ１１４より通知されたＨＤＲ調整用のパラメータ情報と、ＳＤＲプロセス部１２３で復元画素信号に対して調整を加えるために用いられたＳＤＲ調整用のパラメータ情報を、カメラ制御ユニット１２内をスルーさせるＨＤＲビデオに付加し、本線伝送路３０を通じてビデオコンバーター２０に伝送するように制御を行う。
【００９７】
ビデオコンバーター２０の動作は第１の実施形態と同じである。つまり、ビデオコンバーター２０において、本線伝送路３０を通じてパラメータ情報付きＨＤＲビデオが受信されると、ＣＰＵ２０３は、受信したパラメータ情報付きＨＤＲビデオからＨＤＲ調整用のパラメータ情報およびＳＤＲ調整用のパラメータ情報を各々抽出する。ＣＰＵ２０３は、抽出したＨＤＲ調整用のパラメータ情報を逆ＨＤＲプロセス部２０１に与えるともに、ＳＤＲプロセス部２０２にＳＤＲ調整用のパラメータ情報を与える。
【００９８】
逆ＨＤＲプロセス部２０１では、ＣＰＵ２０３より与えられたＨＤＲ調整用のパラメータ情報を用いてＨＤＲビデオに対する逆変換が行われ、もとの画素信号を復元した復元画素信号が生成される。復元画素信号はＳＤＲプロセス部２０２に供給される。
【００９９】
ＳＤＲプロセス部２０２では、逆ＨＤＲプロセス部２０１によって得られた復元画素信号から、ＳＤＲ調整用のパラメータ情報を用いて、上記のカメラ制御ユニット１２において生成されたＳＤＲビデオに対応する出力ビデオ信号が生成される。生成された出力ビデオ信号は、例えば、カメラ制御ユニット１２で生成されたＳＤＲビデオが伝送される操作装置４０のディスプレイ４１とは別のディスプレイに伝送されて表示される。
【０１００】
以上のように、本実施形態のビデオシステム１Ａによっても、カメラ制御ユニット１２において画素信号からＨＤＲビデオと同時に生成されるＳＤＲビデオに限りなく表現が近い出力ビデオ信号を、ビデオコンバーター２０においてＨＤＲビデオからの変換によって得ることができる。
【０１０１】
＜変形例１＞
カメラ制御ユニット１２およびビデオコンバーター２０は各々コンピュータを用いて構成することも可能である。すなわち、コンピュータをカメラ制御ユニット１２、ビデオコンバーター２０として動作させるプログラムを各々のコンピュータをインストールすることによって、上記の第１の実施形態および第２の実施形態と同等の機能を有するビデオシステムを実現することができる。
【０１０２】
＜変形例２＞
以上の実施形態では、ＨＤＲビデオとＳＤＲビデオを処理する場合について説明したが、本技術は、画素信号から２つのビデオ信号を互いに異なる調整を加えながら各々生成する場合に全般的に応用することができるものであり、ＨＤＲビデオとＳＤＲビデオのみに限定されるものではない。特に、２つのビデオ信号に対する異なる調整が色に関する調整である場合には、画素信号から同時に生成される他方のビデオ信号に表現が近いビデオ信号を、一方のビデオ信号からの変換によって得ることができる。
【０１０３】
＜変形例３＞
また、２つのダイナミックレンジが異なる２つのビデオ信号を対象に本技術を応用する場合には、ＨＤＲビデオとＳＤＲビデオとのダイナミックレンジの大小関係のように、逆変換が行われる方のビデオ信号をダイナミックレンジが広い方にすることによって、カメラ制御ユニットで画素信号から生成されるダイナミックレンジが狭い方のビデオ信号に表現が近いビデオ信号を、ビデオコンバーターにおいてＨＤＲビデオからの変換によって得ることができる。
【０１０４】
なお、本技術は以下のような構成もとることができる。
（１）前記カメラシステムは、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路とを具備し、
前記ビデオコンバーターは、
前記第１の伝送路を介して前記伝送情報を受信し、
前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路を具備する
ビデオシステム。
【０１０５】
（２）上記（１）に記載のビデオシステムであって、
前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭い
ビデオシステム。
【０１０６】
（３）上記（１）または（２）に記載のビデオシステムであって、
前記第１の画像調整パラメータおよび前記第２の画像調整パラメータは、前記第１のビデオ信号および前記第２のビデオ信号の色に関する画像調整パラメータを含む
ビデオシステム。
【０１０７】
（４）上記（１）から（３）のいずれかに記載のビデオシステムであって、
前記第１のビデオ信号はＳＤＲ（Standard Dynamic Range)ビデオであり、前記第２のビデオ信号がＨＤＲ（High Dynamic Range）ビデオである
ビデオシステム。
【０１０８】
（５）上記（１）から（４）のいずれかに記載のビデオシステムであって、
前記カメラシステムから前記ビデオコンバーターには前記第１のビデオ信号および前記第２のビデオ信号のうち前記第２のビデオ信号のみが第２の伝送路を通じて伝送されるように前記第１の処理回路および前記第２の処理回路が構成され、
前記第２の処理回路は、前記第２の伝送路と異なる第３の伝送路を介して前記第１のビデオ信号に対応する出力ビデオ信号をディスプレイに伝送するように構成された
ビデオシステム。
【０１０９】
（６）上記（１）から（５）のいずれかに記載のビデオシステムであって、
前記第１の画像調整パラメータが前記第１のビデオ信号に対するゲインと前記第２のビデオ信号に対するゲインとの比率を示すリレイティブレンジを含む
ビデオシステム。
【０１１０】
（７）上記（１）から（６）のいずれかに記載のビデオシステムであって、
前記第１の画像調整パラメータが前記第１のビデオ信号の色域情報を含む
ビデオシステム。
【０１１１】
（８）上記（１）から（７）のいずれかに記載のビデオシステムであって、
前記第１の画像調整パラメータがブラックレベル補正のための情報を含む
ビデオシステム。
【０１１２】
（９）上記（１）から（８）のいずれかに記載のビデオシステムであって、
前記第１の画像調整パラメータがニー補正に関する情報を含む
ビデオシステム。
【０１１３】
（１０）上記（１）から（９）のいずれかに記載のビデオシステムであって、
前記第１の画像調整パラメータがダイナミックレンジの圧縮に関する情報を含む
ビデオシステム。
【０１１４】
（１１）上記（１）から（１０）のいずれかに記載のビデオシステムであって、
前記第２の画像調整パラメータがＯＥＴＦ（Optical-Electro Transfer Function）情報を含む
ビデオシステム。
【０１１５】
（１２）上記（１）から（１１）のいずれかに記載のビデオシステムであって、
前記第２の画像調整パラメータが前記第２のビデオ信号の色域情報を含む
ビデオシステム。
【０１１６】
（１３）上記（１）から（１２）のいずれかに記載のビデオシステムであって、
前記第２の画像調整パラメータがブラックレベル補正のための情報を含む
ビデオシステム。
【０１１７】
（１４）カメラシステムにて、
第１の処理回路が、被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送し、
ビデオコンバーターにて、
前記第１の伝送路を介して前記伝送情報を受信し、
第２の処理回路が、前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する
ビデオ処理方法。
【０１１８】
（１５）上記（１４）に記載のビデオ処理方法であって、
前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭い
ビデオ処理方法。
【０１１９】
（１６）上記（１４）または（１５）に記載のビデオ処理方法であって、
前記第１の画像調整パラメータおよび前記第２の画像調整パラメータは、前記第１のビデオ信号および前記第２のビデオ信号の色に関する画像調整パラメータを含む
ビデオ処理方法。
【０１２０】
（１７）上記（１４）から（１６）のいずれかに記載のビデオ処理方法であって、
前記第１のビデオ信号はＳＤＲ（Standard Dynamic Range)ビデオであり、前記第２のビデオ信号がＨＤＲ（High Dynamic Range）ビデオである
ビデオ処理方法。
【０１２１】
（１８）上記（１４）から（１７）のいずれかに記載のビデオ処理方法であって、
前記第１の処理回路および前記第２の処理回路は、前記カメラシステムから前記ビデオコンバーターには前記第１のビデオ信号および前記第２のビデオ信号のうち前記第２のビデオ信号のみが第２の伝送路を通じて伝送し、
前記第２の処理回路は、前記第２の伝送路と異なる第３の伝送路を介して前記第１のビデオ信号に対応する出力ビデオ信号をディスプレイに伝送する
ビデオ処理方法。
【０１２２】
（１９）上記（１４）から（１８）のいずれかに記載のビデオ処理方法であって、
前記第１の画像調整パラメータが前記第１のビデオ信号に対するゲインと前記第２のビデオ信号に対するゲインとの比率を示すリレイティブレンジを含む
ビデオ処理方法。
【０１２３】
（２０）上記（１４）から（１９）のいずれかに記載のビデオ処理方法であって、
前記第１の画像調整パラメータが前記第１のビデオ信号の色域情報を含む
ビデオ処理方法。
【０１２４】
（２１）上記（１４）から（２０）のいずれかに記載のビデオ処理方法であって、
前記第１の画像調整パラメータがブラックレベル補正のための情報を含む
ビデオ処理方法。
【０１２５】
（２２）上記（１４）から（２１）のいずれかに記載のビデオ処理方法であって、
前記第１の画像調整パラメータがニー補正に関する情報を含む
ビデオ処理方法。
【０１２６】
（２３）上記（１４）から（２２）のいずれかに記載のビデオ処理方法であって、
前記第１の画像調整パラメータがダイナミックレンジの圧縮に関する情報を含む
ビデオ処理方法。
【０１２７】
（２４）上記（１４）から（２３）のいずれかに記載のビデオ処理方法であって、
前記第２の画像調整パラメータがＯＥＴＦ（Optical-Electro Transfer Function）情報を含む
ビデオ処理方法。
【０１２８】
（２５）上記（１４）から（２４）のいずれかに記載のビデオ処理方法であって、
前記第２の画像調整パラメータが前記第２のビデオ信号の色域情報を含む
ビデオシステム。
【０１２９】
（２６）上記（１４）から（２５）のいずれかに記載のビデオ処理方法であって、
前記第２の画像調整パラメータがブラックレベル補正のための情報を含む
ビデオ処理方法。
【０１３０】
（２７）カメラシステムにて、
被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路と、
ビデオコンバーターにて、
前記第１の伝送路を介して前記伝送情報を受信し、
前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路として
コンピュータを動作させるプログラム。
（２８）上記（２７）に記載のプログラムであって、
前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭い
プログラム。
【０１３１】
（２９）上記（２７）または（２８）に記載のプログラムであって、
前記第１の画像調整パラメータおよび前記第２の画像調整パラメータは、前記第１のビデオ信号および前記第２のビデオ信号の色に関する画像調整パラメータを含む
プログラム。
【０１３２】
（３０）上記（２７）から（２９）のいずれかに記載のプログラムであって、
前記第１のビデオ信号はＳＤＲ（Standard Dynamic Range)ビデオであり、前記第２のビデオ信号がＨＤＲ（High Dynamic Range）ビデオである
プログラム。
【０１３３】
（３１）上記（２７）から（３０）のいずれかに記載のプログラムであって、
前記第１の処理回路および前記第２の処理回路は、前記カメラシステムから前記ビデオコンバーターには前記第１のビデオ信号および前記第２のビデオ信号のうち前記第２のビデオ信号のみが第２の伝送路を通じて伝送し、
前記第２の処理回路は、前記第２の伝送路と異なる第３の伝送路を介して前記第１のビデオ信号に対応する出力ビデオ信号をディスプレイに伝送するように
前記コンピュータを動作させるプログラム。
【０１３４】
（３２）上記（２７）から（３１）のいずれかに記載のプログラムであって、
前記第１の画像調整パラメータが前記第１のビデオ信号に対するゲインと前記第２のビデオ信号に対するゲインとの比率を示すリレイティブレンジを含む
プログラム。
【０１３５】
（３３）上記（２７）から（３２）のいずれかに記載のプログラムであって、
前記第１の画像調整パラメータが前記第１のビデオ信号の色域情報を含む
プログラム。
【０１３６】
（３４）上記（２７）から（３３）のいずれかに記載のプログラムであって、
前記第１の画像調整パラメータがブラックレベル補正のための情報を含む
プログラム。
【０１３７】
（３５）上記（２７）から（３４）のいずれかに記載のプログラムであって、
前記第１の画像調整パラメータがニー補正に関する情報を含む
プログラム。
【０１３８】
（３６）上記（２７）から（３５）のいずれかに記載のプログラムであって、
前記第１の画像調整パラメータがダイナミックレンジの圧縮に関する情報を含む
プログラム。
【０１３９】
（３７）上記（２７）から（３６）のいずれかに記載のプログラムであって、
前記第２の画像調整パラメータがＯＥＴＦ（Optical-Electro Transfer Function）情報を含む
プログラム。
【０１４０】
（３８）上記（２７）から（３７）のいずれかに記載のプログラムであって、
前記第２の画像調整パラメータが前記第２のビデオ信号の色域情報を含む
プログラム。
【０１４１】
（３９）上記（２７）から（３８）のいずれかに記載のプログラムであって、
前記第２の画像調整パラメータがブラックレベル補正のための情報を含む
プログラム。
【０１４２】
（４０）被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送する第１の処理回路とを具備する
カメラシステム。
【０１４３】
（４１）上記（４０）に記載のカメラシステムであって、
前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭い
カメラシステム。
【０１４４】
（４２）上記（４０）または（４１）に記載のカメラシステムであって、
前記第１の画像調整パラメータおよび前記第２の画像調整パラメータは、前記第１のビデオ信号および前記第２のビデオ信号の色に関する画像調整パラメータを含む
カメラシステム。
【０１４５】
（４３）上記（４０）から（４２）のいずれかに記載のカメラシステムであって、
前記第１のビデオ信号はＳＤＲ（Standard Dynamic Range)ビデオであり、前記第２のビデオ信号がＨＤＲ（High Dynamic Range）ビデオである
カメラシステム。
【０１４６】
（４４）上記（４０）から（４３）のいずれかに記載のカメラシステムであって、
前記第１の画像調整パラメータが前記第１のビデオ信号に対するゲインと前記第２のビデオ信号に対するゲインとの比率を示すリレイティブレンジを含む
カメラシステム。
【０１４７】
（４５）上記（４０）から（４４）のいずれかに記載のカメラシステムであって、
前記第１の画像調整パラメータが前記第１のビデオ信号の色域情報を含む
カメラシステム。
【０１４８】
（４６）上記（４０）から（４５）のいずれかに記載のカメラシステムであって、
前記第１の画像調整パラメータがブラックレベル補正のための情報を含む
カメラシステム。
【０１４９】
（４７）上記（４０）から（４６）のいずれかに記載のカメラシステムであって、
前記第１の画像調整パラメータがニー補正に関する情報を含む
カメラシステム。
【０１５０】
（４８）上記（４０）から（４７）のいずれかに記載のカメラシステムであって、
前記第１の画像調整パラメータがダイナミックレンジの圧縮に関する情報を含む
カメラシステム。
【０１５１】
（４９）上記（４０）から（４８）のいずれかに記載のカメラシステムであって、
前記第２の画像調整パラメータがＯＥＴＦ（Optical-Electro Transfer Function）情報を含む
カメラシステム。
【０１５２】
（５０）上記（４０）から（４９）のいずれかに記載のカメラシステムであって、
前記第２の画像調整パラメータが前記第２のビデオ信号の色域情報を含む
カメラシステム。
【０１５３】
（５１）上記（４０）から（５０）のいずれかに記載のカメラシステムであって、
前記第２の画像調整パラメータがブラックレベル補正のための情報を含む
カメラシステム。
【０１５４】
（５２）被写体を撮像して画素信号を得る撮像部により生成された前記画素信号から、第１の画像調整パラメータに基づき第１のビデオ信号を生成し、第１の画像調整パラメータとは異なる第２の画像調整パラメータに基づき第２のビデオ信号を生成し、前記第２のビデオ信号に前記第１の調整パラメータ及び前記第２の調整パラメータを付加した伝送情報を第１の伝送路を介して伝送するカメラシステムより伝送された前記伝送情報に含まれた第２の画像調整パラメータに基づき、前記伝送情報に含まれる前記第２のビデオ信号を逆変換して復元画素信号を生成するとともに、前記伝送情報に含まれた前記第１の調整パラメータに基づいて前記復元信号に対して前記第１のビデオ信号に対応する調整処理を行い、前記第１のビデオ信号に対応する出力ビデオ信号を生成する第２の処理回路を具備する
ビデオコンバーター。
【０１５５】
（５３）上記（５２）に記載のビデオコンバーターであって、
前記第１の画像調整パラメータおよび前記第２の画像調整パラメータは、前記第１のビデオ信号および前記第２のビデオ信号のレベルに関する画像調整パラメータを含み、前記第１のビデオ信号のダイナミックレンジが前記第２のビデオ信号のダイナミックレンジよりも狭い
ビデオコンバーター。
【０１５６】
（５４）上記（５２）または（５３）に記載のビデオコンバーターであって、
前記第１の画像調整パラメータおよび前記第２の画像調整パラメータは、前記第１のビデオ信号および前記第２のビデオ信号の色に関する画像調整パラメータを含む
ビデオコンバーター。
【０１５７】
（５５）上記（５２）から（５４）のいずれかに記載のビデオコンバーターであって、
前記第１のビデオ信号はＳＤＲ（Standard Dynamic Range)ビデオであり、前記第２のビデオ信号がＨＤＲ（High Dynamic Range）ビデオである
ビデオコンバーター。
【０１５８】
（５６）上記（５２）から（５５）のいずれかに記載のビデオコンバーターであって、
前記第１の画像調整パラメータが前記第１のビデオ信号に対するゲインと前記第２のビデオ信号に対するゲインとの比率を示すリレイティブレンジを含む
ビデオコンバーター。
【０１５９】
（５７）上記（５２）から（５６）のいずれかに記載のビデオコンバーターであって、
前記第１の画像調整パラメータが前記第１のビデオ信号の色域情報を含む
ビデオコンバーター。
【０１６０】
（５８）上記（５２）から（５７）のいずれかに記載のビデオコンバーターであって、
前記第１の画像調整パラメータがブラックレベル補正のための情報を含む
ビデオコンバーター。
【０１６１】
（５９）上記（５２）から（５８）のいずれかに記載のビデオコンバーターであって、
前記第１の画像調整パラメータがニー補正に関する情報を含む
ビデオコンバーター。
【０１６２】
（６０）上記（５２）から（５９）のいずれかに記載のビデオコンバーターであって、
前記第１の画像調整パラメータがダイナミックレンジの圧縮に関する情報を含む
ビデオコンバーター。
【０１６３】
（６１）上記（５２）から（６０）のいずれかに記載のカメラシステムであって、
前記第２の画像調整パラメータがＯＥＴＦ（Optical-Electro Transfer Function）情報を含む
ビデオコンバーター。
【０１６４】
（６２）上記（５２）から（６１）のいずれかに記載のビデオコンバーターであって、
前記第２の画像調整パラメータが前記第２のビデオ信号の色域情報を含む
カメラシステム。
【０１６５】
（６３）上記（５２）から（６２）のいずれかに記載のビデオコンバーターであって、
前記第２の画像調整パラメータがブラックレベル補正のための情報を含む
ビデオコンバーター。
【符号の説明】
【０１６６】
１…ビデオシステム
１０…カメラシステム
１１…撮像装置
１２…カメラ制御ユニット
１３…カメラケーブル
２０…ビデオコンバーター
３０…本線伝送路
３５…出力伝送路
１１４…ＣＰＵ
１２１…伝送部
１２２…ＨＤＲプロセス部
１２３…ＳＤＲプロセス部
１２４…ＣＰＵ
２０１…逆ＨＤＲプロセス部
２０２…ＳＤＲプロセス部
２０３…ＣＰＵ
【図１】
2020074613.tif 000003
【図２】
2020074613.tif 000004
【図３】
2020074613.tif 000005
【図４】
2020074613.tif 000006
【図５】
2020074613.tif 000007